(57)【要約】【課題】  高粘度の潤滑油を給油前にマンコンベアの駆動モータの熱で暖めてやることにより、配管の詰まりを防止するようにしたマンコンベアの自動給油装置を得る。【解決手段】  マンコンベアを駆動する駆動モータ６と、この駆動モータに取り付けられ、高粘度の潤滑油が収容された潤滑油タンク８と、この潤滑油タンクに連結され、駆動モータに熱伝的に取り付けられた給油配管９と、潤滑油タンク内の高粘度の潤滑油を給油配管を通してチェーン部に給油する給油ポンプ１１と、この給油ポンプの運転開始と運転停止を制御する給油タイマー１２とを備える。給油タイマー１２は、駆動モータが起動開始してから所定時間経過したら給油ポンプによる給油を開始するとともに、踏段チェーンが少なくとも一巡するまでの予定時間経過したら給油ポンプによる給油を停止する。【選択図】    図２
2005053684.tif 000002
【特許請求の範囲】
【請求項１】
マンコンベアのチェーン部に一定時間毎に潤滑油を自動的に給油するマンコンベアの自動給油装置において、マンコンベアを駆動する駆動モータと、この駆動モータに取り付けられ、高粘度の潤滑油が収容された潤滑油タンクと、この潤滑油タンクに連結され、駆動モータに熱伝的に取り付けられた給油配管と、潤滑油タンク内の高粘度の潤滑油を給油配管を通してチェーン部に給油する給油ポンプと、この給油ポンプの運転開始と運転停止を制御する給油タイマーとを備え、この給油タイマーは、駆動モータが起動開始してから所定時間経過したら給油ポンプによる給油を開始するとともに、踏段チェーンが少なくとも一巡するまでの予定時間経過したら給油ポンプによる給油を停止することを特徴とするマンコンベアの自動給油装置。
【請求項２】
マンコンベアのチェーン部に一定時間毎に潤滑油を自動的に給油するマンコンベアの自動給油装置において、マンコンベアを駆動する駆動モータと、この駆動モータに取り付けられ、高粘度の潤滑油が収容された潤滑油タンクと、この潤滑油タンクに連結され、駆動モータに熱伝的に取り付けられた給油配管と、この給油配管の先端に設けられ、チェーン部に高粘度の潤滑油を供給する給油ノズルと、潤滑油タンク内の高粘度の潤滑油を給油配管を通してチェーン部に給油する給油ポンプと、この給油ポンプの運転開始と運転停止を制御する給油タイマーとを備え、この給油タイマーは、駆動モータが起動開始してから所定時間経過したら給油ポンプによる給油を開始するとともに、踏段チェーンが少なくとも一巡するまでの予定時間経過したら給油ポンプによる給油を停止することを特徴とするマンコンベアの自動給油装置。    
【請求項３】
潤滑油タンクを駆動モータの上面を除く側面に位置するように取付バンドで取り付けたことを特徴とする請求項１又は請求項２記載のマンコンベアの自動給油装置。
【請求項４】
給油配管を駆動モータの上面を除く側面に位置するように熱伝的に取り付けたことを特徴とする請求項１〜請求項３のいずれかに記載のマンコンベアの自動給油装置。
【請求項５】
駆動モータが起動開始してから所定時間経過し、潤滑油タンク及び給油配管内の高粘度の潤滑油が駆動モータの発熱により暖められて、低粘度の潤滑油並みの粘度となったら給油を開始することを特徴とする請求項１〜請求項４のいずれかに記載のマンコンベアの自動給油装置。
【発明の詳細な説明】
【技術分野】
【０００１】
この発明は、チェーン部に給油頻度を少なくできる高粘度の潤滑油を給油できるようにしたマンコンベアの自動給油装置に関するものである。
【背景技術】
【０００２】
マンコンベアのチェーン部に一定時間毎に潤滑油を給油する自動給油装置においては、潤滑油として、従来は低粘度の潤滑油が使用されていた。この低粘度の潤滑油を使用した場合は、潤滑部であるチェーンから潤滑油が落ち易く頻繁に給油が必要となる。その為、マンコンベアの運転時間が約４８時間を経過したら、自動的に潤滑油を給油するようにしていた。この対策として、給油頻度を少なくできる高粘度の潤滑油を用いることにより、例えば運転時間が約５００時間経過したら自動的に給油する長期給油インターバルを実現することも考えられている。ところで、オイル粘度には、図４に示すように、約６０℃になると、高粘度のエンジンオイル（１０Ｗ４０）が、低粘度の軸受油（ＶＧ１０）の気温１０℃前後のときと概ね同じ粘度となる特性があることが知られている。また、従来技術としては、温度検出手段により検知された温度によって潤滑油の給油時間を調整し、変化させることで潤滑油の粘度変化に関係なく常に一定量の潤滑油を駆動部に供給する構成としたものがあるが、これは高粘度の潤滑油を使用したものではなかった（例えば、特許文献１参照）。
【０００３】
【特許文献１】特開平１１−１８０６６８号公報
【発明の開示】
【発明が解決しようとする課題】
【０００４】
従来の低粘度の潤滑油を使用した場合は、潤滑部であるチェーンから潤滑油が落ち易く頻繁に給油が必要となるという問題があった。また、高粘度の潤滑油を使用した場合は、従来の給油装置ではポンプ圧力が足らず、十分な量の潤滑油を給油できないという問題があった。また、気温が高い時は正常であっても、気温が低くなると、油温が低くなるため、粘度が高くなり、配管が詰まってしまい、十分な量の潤滑油を供給できなくなるという問題があり、ポンプの圧力を上げるなどの処置が必要であった。
【０００５】
この発明は、上述のような課題を解決するためになされたもので、その目的は、高粘度の潤滑油を給油前にマンコンベアの駆動モータの熱で暖めてやることにより、配管の詰まりを防止するようにしたマンコンベアの自動給油装置を提供するものである。
【課題を解決するための手段】
【０００６】
この発明に係るマンコンベアの自動給油装置は、マンコンベアのチェーン部に一定時間毎に潤滑油を自動的に給油するものにおいて、マンコンベアを駆動する駆動モータと、この駆動モータに取り付けられ、高粘度の潤滑油が収容された潤滑油タンクと、この潤滑油タンクに連結され、駆動モータに熱伝的に取り付けられた給油配管と、潤滑油タンク内の高粘度の潤滑油を給油配管を通してチェーン部に給油する給油ポンプと、この給油ポンプの運転開始と運転停止を制御する給油タイマーとを備え、この給油タイマーは、駆動モータが起動開始してから所定時間経過したら給油ポンプによる給油を開始するとともに、踏段チェーンが少なくとも一巡するまでの予定時間経過したら給油ポンプによる給油を停止するものである。
【発明の効果】
【０００７】
この発明は、マンコンベアを駆動する駆動モータと、この駆動モータに取り付けられ、高粘度の潤滑油が収容された潤滑油タンクと、この潤滑油タンクに連結され、駆動モータに熱伝的に取り付けられた給油配管と、潤滑油タンク内の高粘度の潤滑油を給油配管を通してチェーン部に給油する給油ポンプと、この給油ポンプの運転開始と運転停止を制御する給油タイマーとを備え、この給油タイマーは、駆動モータが起動開始してから所定時間経過したら給油ポンプによる給油を開始するとともに、踏段チェーンが少なくとも一巡するまでの予定時間経過したら給油ポンプによる給油を停止するようにしたので、高粘度の潤滑油を給油前にマンコンベアの駆動モータの熱で暖めてやることにより、配管の詰まりを防止することができる。従って、従来の約４８時間の給油インターバルから約５００時間の長期給油インターバルを実現することができる。
【発明を実施するための最良の形態】
【０００８】
実施の形態１．  
図１はこの発明の実施の形態１におけるマンコンベアの自動給油装置を示すシステム構成図、図２はこの発明の実施の形態１におけるマンコンベアの自動給油装置を示す部分拡大斜視図、図３はこの発明の実施の形態１におけるマンコンベアの自動給油装置の動作を説明するフローチャートである。
図において、マンコンベアは、トラス１と、このトラス１上の両側部に設けられた内側板２と、この内側板上をガイドレールに沿って移動する移動手摺３と、内側板２間を移動する踏段（図示せず）と、トラス１内に設けられ、複数の踏段を連結した踏段チェーン４と、この踏段チェーンを駆動するチェーンスプロケット５と、このチェーンスプロケットを駆動する駆動モータ６等から構成されている。マンコンベアの運転時間が約５００時間を経過したら、チェーンスプロケット５に巻き掛けられた踏段チェーン４等に自動給油装置により高粘度の潤滑油が自動的に給油される構成となっている。すなわち、自動給油装置は、駆動モータ６の上面を除く側面に位置するように取付バンド７により取り付けられ、高粘度の潤滑油が収容された潤滑油タンク８と、このタンクに連結され、駆動モータ６の上面を除く側面に位置するように熱伝的に蛇行状に取り付けられた給油配管９と、この給油配管の先端に設けられ、踏段チェーン４や駆動チェーン等に高粘度の潤滑油を給油する給油ノズル１０と、潤滑油タンク８内の高粘度の潤滑油を給油配管９を通して給油する給油ポンプ１１と、この給油ポンプの運転開始と運転停止を制御する給油タイマー１２とから構成されている。この給油タイマー１２は、マンコンベアの駆動モータ６が起動開始してから所定時間、例えば３０〜６０分運転して、駆動モータ６がある程度の熱を持ってから、給油ポンプ１１による給油を開始し、踏段チェーン４が少なくとも一巡するまでの予定時間、例えば約７０秒を経過してから給油ポンプ１１を停止するようになっている。また、潤滑油タンク８及び給油配管９内の高粘度の潤滑油は、駆動モータ６の発熱により暖められることにより、給油直前には、図４に示すように、従来の低粘度の潤滑油並みの粘度とすることが可能となる。また、潤滑油タンク８及び給油配管９を駆動モータ６の上面に設けずに特に側面に設けた理由は、保守・点検時に作業員に踏まれ易い上面を避けることにより、自動給油装置の長寿命化を図ったものである。
【０００９】
次に、マンコンベアの自動給油装置の動作について説明する。
先ず、マンコンベアの運転がスタートすると、ステップＳ１で前回の給油から運転時間が一定時間である約５００時間が経過したかどうかを積算時間として判断する。ここで前回の給油からの積算運転時間が５００時間を経過していたら、ステップＳ２でマンコンベアが起動してから所定時間の例えば３０〜６０分を経過したかどうかを判断する。マンコンベアの起動開始から３０〜６０分が経過していれば、駆動モータ６がある程度の熱を持つことになり、潤滑油タンク８及び給油配管９内の高粘度の潤滑油は駆動モータ６の発熱により暖められ、従来の低粘度の潤滑油並みの粘度となる。そうしたら、ステップＳ３で給油ポンプ１１の運転を開始して給油を開始する。次に、ステップＳ４で給油を開始してから踏段チェーン４が一巡するまでの予定時間、例えば約７０秒間給油を継続したかどうかを判断する。ここで７０秒間給油を継続したら、最も長い踏段チェーン４の全てに高粘度の潤滑油が行き渡ったと判断して、ステップＳ５で給油ポンプ１１の運転を停止し給油を停止する。
【００１０】
上記の実施の形態１の説明では、チェーンスプロケット５に巻き掛けられた踏段チェーン４に高粘度の潤滑油を給油した場合を例に説明しているが、実際には自動給油装置は、駆動モータ６とチェーンスプロケット５とを連結する駆動チェーン及び移動手摺駆動チェーンにも高粘度の潤滑油を自動給油するものであることは勿論である。
【図面の簡単な説明】
【００１１】
【図１】この発明の実施の形態１における自動給油装置を使用したマンコンベアの全体構成を示す概略側面図である。
【図２】この発明の実施の形態１におけるマンコンベアの自動給油装置を示す部分拡大斜視図である。
【図３】この発明の実施の形態１におけるマンコンベアの自動給油装置の動作を説明するフローチャートである。
【図４】潤滑油のオイル粘度と温度との関係を示す特性図である。
【符号の説明】
【００１２】
１  トラス
２  内側板
３  移動手摺
４  踏段チェーン
５  チェーンスプロケット
６  駆動モータ
７  取付バンド
８  潤滑油タンク
９  給油配管
１０  給油ノズル
１１  給油ポンプ
１２  給油タイマー
【図１】
2005053684.tif 000003
【図２】
2005053684.tif 000004
【図３】
2005053684.tif 000005
【図４】
2005053684.tif 000006